(57)【要約】【課題】  配線ダクト内への配線やコンセントの収納・取り出し操作等が行いやすいテーブルを提供する。【解決手段】  起倒可能な天板２と、該天板２の着席側と反対側部の下部に配置した幕板２０と、該幕板２０の着席側に設けたダクト２５を有し、前記ダクト２５は、その幕板側端部に前記天板２の裏面との間に開口部２６を形成し、前記幕板２０の天板側端と前記天板２の裏面との距離を変えることができ、前記幕板２０と前記天板２との距離を拡張した際に、前記ダクト２５が前記天板２に対して傾き、前記ダクト２５の開口部２６におけるダクト２５と天板裏面２ａとの距離が広くなる。【選択図】  図６
2013153775.tif 000002
【特許請求の範囲】
【請求項１】
起倒可能な天板と、該天板の着席側と反対側部の下部に配置した幕板と、該幕板の着席側に設けたダクトを有し、
前記ダクトは、その幕板側端部と前記天板の裏面との間に開口する開口部が形成され、
前記幕板の天板側端と前記天板の裏面との距離を変えることができ、
前記幕板と前記天板との距離を拡張した際に、前記ダクトが前記天板に対して傾き、前記ダクトの開口部におけるダクトと天板裏面との距離が広くなることを特徴とするテーブル。
【請求項２】
連結腕の一端部を、前記天板の裏面に対して回転可能に連結し、前記連結腕の他端部に前記幕板の上部を連結し、前記連結腕の他端部を天板方向に付勢し、
前記ダクトを前記連結腕に対して固設し、前記連結腕が一端部を中心として回動することにより、天板側端と前記天板の裏面との距離を広げるとともに、前記ダクトが前記天板に対して傾くことで、前記ダクトの開口部におけるダクトと天板裏面との距離が広くなることを特徴とする請求項１記載のテーブル。
【請求項３】
付勢手段により、前記連結腕の他端部を天板方向に付勢することを特徴とする請求項２記載のテーブル。
【請求項４】
前記連結腕の一端部を、前記天板に固設したトーションバーに固設し、該トーションバーの反発力により、前記連結腕の他端部を天板方向に付勢することを特徴とする請求項３記載のテーブル。
【発明の詳細な説明】
【技術分野】
【０００１】
本発明は、テーブルに関し、より詳しくは起倒可能に備えた天板を有するテーブルに関する。
【背景技術】
【０００２】
近年、天板が起倒でき、不要な際には天板を起立させて収納できるフラップテーブルにおいて、その天板を倒伏して使用する際に、天板上にパソコン等の電気機器を、載置して使用することがあるために、この電気機器の配線やコンセントを収納するための配線ダクトを、天板の裏面側に取り付けられている。
【０００３】
この配線ダクトは、幕板を上方に位置させて、幕板により反着席側から視認できないようにし、配線ダクト内に対して、配線やコンセントの収納・取り出しを行う際には、幕板を下げて、幕板の上端と天板の裏面との距離を広げることが行われている。
【０００４】
このように、幕板を下げることにより、幕板の上端と天板の裏面との距離が広がり、配線ダクト内に対して配線やコンセントの収納・取出しが行いやすくなる。
【発明の開示】
【発明が解決しようとする課題】
【０００５】
しかし、前記従来技術のフラップテーブルでは、配線ダクトが、天板の裏面に固設されているために、幕板が上下動しても、配線ダクトに設けた、配線ダクト内に配線やコンセントの収納・取出しを行うために形成した開口面積は、一定である。フラップテーブルの使用者の邪魔にならないように配線ダクトは大きく形成されておらず、前記開口面積もそれほど大きくなく、配線ダクト内への配線やコンセントの収納が行いにくいという問題がある。
【０００６】
そこで、本発明は、より配線ダクト内への配線やコンセントの収納・取り出し操作等が行いやすいテーブルを提供することを目的とするものである。
【課題を解決するための手段】
【０００７】
前記の課題を解決するために、請求項１記載の発明は、起倒可能な天板と、該天板の着席側と反対側部の下部に配置した幕板と、該幕板の着席側に設けたダクトを有し、
前記ダクトは、その幕板側端部と前記天板の裏面との間に開口する開口部が形成され、
前記幕板の天板側端と前記天板の裏面との距離を変えることができ、
前記幕板と前記天板との距離を拡張した際に、前記ダクトが前記天板に対して傾き、前記ダクトの開口部におけるダクトと天板裏面との距離が広くなることを特徴とするものである。
【０００８】
請求項２記載の発明は、請求項１記載の発明において、連結腕の一端部を、前記天板の裏面に対して回転可能に連結し、前記連結腕の他端部に前記幕板の上部を連結し、前記連結腕の他端部を天板方向に付勢し、
前記ダクトを前記連結腕に対して固設し、前記連結腕が一端部を中心として回動することにより、天板側端と前記天板の裏面との距離を広げるとともに、前記ダクトが前記天板に対して傾くことで、前記ダクトの開口部におけるダクトと天板裏面との距離が広くなることを特徴とするものである。
【０００９】
請求項３記載の発明は、請求項２記載の発明において、付勢手段により、前記連結腕の他端部を天板方向に付勢することを特徴とするものである。
【００１０】
請求項４記載の発明は、請求項３記載の発明において、前記連結腕の一端部を、前記天板に固設したトーションバーに固設し、該トーションバーの反発力により、前記連結腕の他端部を天板方向に付勢することを特徴とするものである。
【発明の効果】
【００１１】
本発明は、幕板の天板側端と前記天板の裏面との距離を変えることができ、この距離を拡張した際に、ダクトが前記天板に対して傾き、ダクトの開口部におけるダクトと天板裏面との距離が広くなることにより、ダクト内への配線やコンセントの収納・取出し操作等が行いやすくなる。
【図面の簡単な説明】
【００１２】
【図１】本発明の実施例に係るテーブルの天板を倒伏した状態の後面図。
【図２】図１の一部底面図。
【図３】図１の左側面図。
【図４】図１の前側下方から見た斜視図。
【図５】図１の状態から天板を起立した状態の左側面図。
【図６】図１の状態から幕板を下方に移動させた状態の後側上方から見た斜視図。
【図７】図６の前側下方から見た斜視図。
【図８】図６の後面図。
【図９】図６の左側面図。
【図１０】図５の状態から幕板を後方に移動させた状態の左側面図。
【図１１】本発明の実施例に用いるもので、天板に取り付ける前のトーションバーと固定金具と連結腕との関係を示す図。
【図１２】図１１の状態から、天板に取り付けた状態のトーションバーと固定金具と連結腕との関係を示す図。
【図１３】図１２の状態から、幕板を下方に移動させた状態のトーションバーと固定金具と連結腕との関係を示す図。
【図１４】本発明の実施例に用いる配線ダクトと連結腕との関係を示す図。
【図１５】図１４の左側面図。
【発明を実施するための形態】
【００１３】
本発明を実施するための形態を図に基づいて説明する。
図１は、本発明のテーブル１の天板２を倒伏させた状態の反着席側から見た後面図、図２は、テーブル１のキャスタ３を除いた裏面図（なお、配線ダクト２５は二点差線で表してある）、図３はその左側面図を示すものである。以下において、テーブル１の着席側を前Ａ、その反対側を後Ｂとし、前Ａ側からみて右側を右Ｃ、左側を左Ｄとし、天板２側を上側、キャスタ３側を下側として説明する。
【００１４】
前記テーブル１は、図１に示すように、左右に１対の脚４，４を有し、該脚４は、下方に向かうほど後Ｂ方に傾斜する後脚４ａと、該後脚４ａの中央部に上端が連結されるとともに、下方に向かうほど前方に傾斜する前脚４ｂとで構成されている。夫々の脚４ａ，４ｂの下端にはキャスター３が設けられている。
【００１５】
前記左右の後脚４ａ，４ａの上端部には、脚側取付け部６が固設され、左右の脚側取付け部６と６間には棧７が固設されている。左右の脚側取付け部６，６には、天板取付金具８が左右方向の回転軸８ａを中心として回転可能に設けられている。
【００１６】
左右の天板取付金具８，８には天板２が固設され、該天板２は、後脚４ａに対して前記回転軸８ａを中心として起倒可能に設けられている。図１乃至図４に示すように、前記天板２が略水平となる倒伏状態を保持することができるようになっている。また、解除レバー９により、前記天板２の倒伏状態を解除した後に、天板２の後Ｂ側を下方に下げるように天板２を回動させて、図５に示すように、天板２が、後脚４ａと略平行となるまで起立させ、その起立状態を保持することができるようになっている。
【００１７】
天板２の裏面２ａにおける後Ｂ側端部には、付勢手段であるトーションバー１０が左右Ｃ−Ｄ方向に設けられている。該トーションバー１０の左右両側部には、連結腕１１の一端１１ａ部が固設されて、トーションバー１０により、連結腕１１の他端１１ｂは天板２方向に付勢されるようになっている。また、図４に示すように、トーションバー１０の軸方向の中央部に固定金具１３が固設され、トーションバー１０の両側部には、トーションバー１０に対し回転可能な取付具１４，１４が設けられ、該取付具１４は天板２の裏面２ａに固設されている。
【００１８】
金属製の棒状部材１５に対しねじれ力が働いていない状態においては、図１１に示すように、前記固定金具１３の上面（天板２への取付面）１３ａが、前記連結腕１１の他端１１ｂよりも下方に位置し、かつ、連結腕１１の長手方向の軸に対して所定の角度αを有するように、棒状部材１５に対し、左右の連結腕１１と固定金具１３が固設されている。そして、図１２に示すように、この連結腕１１の他端１１ｂを、下方に回動させ、固定金具１３の上面と連結腕１１の長手方向の軸とが略平行となる状態で天板２に対して、固定金具１３を固設することにより、棒状部材１５に、その軸を中心とするねじれ力が付与され、連結腕１１の他端１１ｂは上方に付勢され、棒状部材１５はトーションバー１０として作用する。前記棒状部材１５の径及び材質、及び、前記角度αは、トーションバー１０に求められるトルク力と剪断応力等に応じて任意に設定する。これにより、連結腕１１は、図１２，１３に示すように、連結腕１１の一端１１ａ側を中心として回動できるとともに、トーションバー１０により他端１１ｂ側が、図１２の矢印Ｈで示すように、天板２方向に付勢されている。
【００１９】
連結腕１１の他端１１ｂ部には、幕板連結部材１６の他端部１６ｂが、その左右方向を軸とする回転軸１７を中心に回転可能に連結されている。幕板連結部材１６の一端部１６ａには、幕板２０の上部が、その左右方向を軸とする回転軸１８を中心に回転可能に連結されている。幕板２０は、その左右の側部の上端に、上方が開口する切欠２３を形成し、その切欠２３内に前記幕板連結部材１６の一端部１６ａを挿通して、回転可能に連結されている。天板２が倒伏した状態において、図１に示すように、幕板２０の上端面２０ａと天板２の裏面２ａとの裏面との間には、手を挿入できるだけの空間２２が形成されている。
【００２０】
前記連結腕１１の他端１１ｂが天板２の裏面２ａに接している状態においては、幕板連結部材１６の他端１６ｂ側の回転軸１７は、天板２の後端面近傍に位置するように設けられている。
【００２１】
また、天板２を起立させた状態においては、図５に示すように、幕板連結部材１６の一端１６ａ側の回転軸１８、すなわち、幕板２０の上端部は、天板２の裏面２ａと、後脚４ａの後面４ｃとの間には位置せず、天板２の下方に位置するようになっている。
【００２２】
これにより、幕板２０は、天板２と脚４との対向空間には位置せず、天板２とは当接することなく、幕板連結部材１６により前後方向に移動することができるようになっている。
【００２３】
幕板２０の下部には、連結金具２１の一端が、その左右方向を軸とする回転軸を中心に回転可能に連結され、該連結金具２１の他端は、後脚４ａの上下方向の中間部に対し、その左右方向を軸とする回転軸を中心に回転可能に連結されている。
【００２４】
前記左右の連結腕１１，１１には、パソコンの電源コード・配線・ケーブル等や、電源タップ（コンセント）等を収納できるダクトである配線ダクト２５が固設されている。配線ダクト２５は、図１４，１５に示すように、左右の側板２５ａ，２５ａと、側板２５ａ，２５ａ間に架設された前板２５ｂと、後板２５ｃと、底板２５ｄで構成され、その内部に上方が開口する収納空間が形成されている。左右の側板２５ａ，２５ａが、夫々左右の連結腕１１，１１に固設されている。また、前板２５ｂと後板２５ｃの上端と天板２の裏面２ａとの間には、配線ダクト２５内に、配線やコンセント等を挿入するための開口部２６，２７が形成されている。
【００２５】
これにより、図１５に示すように、連結腕１１が一端１１ａ側を中心として、上下方向に回動する際に、一緒に配線ダクト２５も前後方向に揺動する。天板２を倒伏し、連結腕１１が略水平の状態では、図１５の実線で示すように底板２５ｄが略水平の状態となり、連結腕１１の他端１１ｂが下方に回動した状態では、図１５の破線で示すように底板２５ｄが傾いた状態となる。
【００２６】
天板２を倒伏した図１の状態から、幕板２０と天板２との間の空間２２に手を挿入して、図８，９に示すように、幕板２０を下方に押し下げると、連結腕１１が一端１１ａ側を中心として、その他端１１ｂが下方に移動し、幕板２０と天板２との間の空間２２が広がる。また、配線ダクト２５も、図６，９に示すように、連結腕１１とともに傾き、後板２５ｃと天板２の裏面２ａとの開口部２６における後板２５ｃの上端と天板裏面との距離（開口面積）が広がる。これにより、幕板２０と天板２との間の空間２２、及び、開口部２６を通じて、配線ダクト２５内への配線やコンセント等の収納・取出しや、配線ダクト２５内でのパソコン等のコードやケーブルの配線等が行いやすくなる。
【００２７】
配線ダクト２５内の作業が終了し、幕板２０を下方へ押し下げることをやめれば、トーションバー１０の反発力により、連結腕１１の他端１１ｂが、上方へ付勢されて、幕板２０が上方へ移動し、幕板２０と天板２との間の空間２２が狭くなるとともに配線ダクト２５も略水平状態となり、配線ダクト２５等が、反着席側からは見えにくくなる。
【００２８】
また、トーションバー１０により、連結腕１１の他端１１ｂ、すなわち、幕板２０を天板２方向に付勢したことにより、構造を簡略化できるとともに、部品点数を少なくし、製作コストを削減できる。
【００２９】
また、天板２を起立した状態において、幕板２０の上端部は、天板２の裏面２ａと、後脚４ａの後面４ｃとの間には位置せず、天板２の下方に位置し、幕板連結部材１６の両端が、幕板２０の上端部と、連結腕１１の他端１１ｂとに、それぞれ回転可能に連結されていることにより、図５，１０に示すように、幕板２０が前後方向に揺動することができる。これにより、幕板２０と後脚４ａとの間に空間を形成することができ、天板２を倒伏状態から起立させる際などにおいて、指等を挟みこむことを防止できる。
【００３０】
更に、天板２を起立した状態において、幕板２０の上端部は、天板２の裏面２ａと、後脚４ａの後面４ｃとの間には位置せず、幕板２０を前後方向に揺動できるようにしたことにより、天板２の裏面２ａと後脚４ａとの間には、指等を挟みこむことを防止できる空間を形成するだけでよいため、フラップテーブルを前後に重ね合わせて収納した際の収納幅（空間）を狭くできる。
【００３１】
［その他の実施例］
前記実施例１では、付勢手段としてトーションバー１０を用いて、該トーションバー１０により、連結腕１１の他端１１ｂを天板方向に付勢したが、連結腕１１の他端１１ｂを天板２方向に付勢できれば、バネ材等の任意の付勢手段を用いてもよい。
【符号の説明】
【００３２】
１  テーブル（フラップテーブル）
２  天板
２ａ  天板の裏面
４  脚
１０  付勢手段（トーションバー）
１１  連結腕
１６  幕板連結部材
２０  幕板
２５  ダクト
２６  ダクトの幕板側端部の開口部
【図１】
2013153775.tif 000003
【図２】
2013153775.tif 000004
【図３】
2013153775.tif 000005
【図４】
2013153775.tif 000006
【図５】
2013153775.tif 000007
【図６】
2013153775.tif 000008
【図７】
2013153775.tif 000009
【図８】
2013153775.tif 000010
【図９】
2013153775.tif 000011
【図１０】
2013153775.tif 000012
【図１１】
2013153775.tif 000013
【図１２】
2013153775.tif 000014
【図１３】
2013153775.tif 000015
【図１４】
2013153775.tif 000016
【図１５】
2013153775.tif 000017